(57)【要約】【課題】  鍵間の隙間を調整して均一に揃えることができる鍵盤楽器を提供する。【解決手段】  取付部１３に軸孔２０が設けられた鍵２と、鍵２の軸孔２０内に配置される軸部２１が鍵支持部１１に設けられた鍵盤シャーシ１と、を備え、軸孔２０の内周面と軸部２１の外周面との間に第１、第２間隙Ｓ１、Ｓ２が設けられ、鍵２が押鍵されていない状態において、鍵２の上下方向の第１間隙Ｓ１より鍵２の長手方向の第２間隙Ｓ２の方が大きい。従って、鍵２の軸孔２０に鍵盤シャーシ１の軸部２１が配置された際に、第１間隙Ｓ１と第２間隙Ｓ２とによって、鍵２の前端部を鍵２の配列方向に変位させることができ、これにより鍵２の前端部間の隙間を容易にかつ良好に調整して均一に揃えることができる。【選択図】        図８
2019219551.tif 000002
【特許請求の範囲】
【請求項１】
軸孔が設けられている部位及び軸のいずれか一方を有し、前記いずれか一方が一端側に設けられている鍵と、
前記部位及び前記軸のいずれか他方を有し、前記軸孔内に前記軸が配置されていることにより、前記鍵を支持している鍵盤シャーシと、
を備え、
前記部位における前記軸孔に対応する内面と、前記軸と、の間隙は、前記鍵が押鍵されていない状態において、前記鍵の上下方向の第１間隙より前記鍵の長手方向の第２間隙の方が大きいことを特徴とする鍵盤楽器。
【請求項２】
請求項１に記載の鍵盤楽器において、
前記鍵と、前記鍵盤シャーシと、のいずれか一方に有する前記軸の中心から少なくとも上方向及び下方向のいずれか一方の沿線上に、前記軸の厚みよりも薄い厚みの押えリブが設けられていることを特徴とする鍵盤楽器。
【請求項３】
請求項１または請求項２に記載の鍵盤楽器において、
前記鍵は、前記一端側に弾性変形するコの字形状部を含み、
前記鍵盤シャーシは、前記鍵の前記一端側の前記コの字形状部を支持する一対の鍵支持片を有し、
前記軸孔は、前記コの字形状部の両側にそれぞれ設けられており、
前記軸は、前記鍵盤シャーシにおける前記一対の鍵支持片の対向面にそれぞれ設けられていることを特徴とする鍵盤楽器。
【請求項４】
請求項３に記載の鍵盤楽器において、
前記鍵は、前記コの字形状部の上側に、前記弾性変形を規制する変形規制部、を有することを特徴とする鍵盤楽器。
【請求項５】
請求項４に記載の鍵盤楽器において、
前記鍵に含まれる前記変形規制部の一端は、前記鍵盤シャーシに含まれる前記一対の鍵支持片の対向面に位置していることを特徴とする鍵盤楽器。
【請求項６】
請求項１〜請求項４のいずれかに記載の鍵盤楽器において、
前記軸孔は、円形状であり、
前記軸は、上下方向に長い楕円形状であることを特徴とする鍵盤楽器。
【請求項７】
請求項１〜請求項４のいずれかに記載の鍵盤楽器において、
前記鍵盤シャーシにおける前記一対の鍵支持片それぞれの上端は、前記鍵の前記一端側における前記鍵の揺動範囲の上端よりも高い位置にあることを特徴とする鍵盤楽器。
【発明の詳細な説明】
【技術分野】
【０００１】
この発明は、電子ピアノなどの鍵盤楽器に関する。
【背景技術】
【０００２】
例えば、鍵盤楽器においては、特許文献１に記載されているように、鍵が配列される鍵盤シャーシの後部上に、鍵の後部に設けられた一対の取付片を挟んで保持する一対の鍵支持片が設けられ、これら一対の鍵支持片に設けられた軸孔に一対の取付片に設けられた軸部が挿入されることにより、鍵が鍵盤シャーシ上に回転可能に取り付けられる構造のものが知られている。
【先行技術文献】
【特許文献】
【０００３】
【特許文献１】実開平１−８５７９５号公報
【発明の概要】
【発明が解決しようとする課題】
【０００４】
このような鍵盤楽器では、鍵盤シャーシの一対の鍵支持片に設けられた軸孔と、鍵の一対の取付片に設けられて軸孔に回転可能に挿入される軸部との両方が、ほぼ同じ大きさの円形状に形成されていると、一対の鍵支持片の軸孔に一対の取付片の軸部が嵌合して支持されるため、鍵の配列方向への動きが規制されてしまう。このため、鍵の前端部に片寄りが発生すると、鍵の前端部間の隙間が不揃いになり、鍵間の隙間を調整することが難しいという問題がある。
【０００５】
この発明が解決しようとする課題は、鍵間の隙間を調整しても良好に押鍵することができる鍵盤楽器を提供することである。
【課題を解決するための手段】
【０００６】
この発明は、軸孔が設けられている部位及び軸のいずれか一方を有し、前記いずれか一方が一端側に設けられている鍵と、前記部位及び前記軸のいずれか他方を有し、前記軸孔内に前記軸が配置されていることにより、前記鍵を支持している鍵盤シャーシと、を備え、前記部位における前記軸孔に対応する内面と、前記軸と、の間隙は、前記鍵が押鍵されていない状態において、前記鍵の上下方向の第１間隙より前記鍵の長手方向の第２間隙の方が大きいことを特徴とする鍵盤楽器である。
【発明の効果】
【０００７】
この発明によれば、鍵間の隙間を調整しても良好に押鍵することができる。
【図面の簡単な説明】
【０００８】
【図１】この発明を適用した鍵盤楽器の一実施形態を示した断面図である。
【図２】図１に示された鍵盤楽器の鍵盤シャーシに鍵を取り付ける状態を分解して示した断面図である。
【図３】図１に示された鍵盤楽器の鍵盤シャーシに１本の鍵を取り付けた状態を示した要部の平面図である。
【図４】図１に示された鍵盤楽器における鍵の取付部と鍵盤シャーシの鍵保持部とを示し、（ａ）はその要部を分解して示した斜視図、（ｂ）は軸孔と軸部との対応関係を示した要部の拡大図である。
【図５】図２に示された鍵盤シャーシの鍵保持部を示した要部の背面図である。
【図６】図２に示された鍵盤楽器の鍵の白鍵を示し、（ａ）はその側面図、（ｂ）はその平面図、（ｃ）はその正面図である。
【図７】図３に示された鍵の取付部における一対の取付片を鍵盤シャーシの鍵保持部における一対の鍵支持片間に配置させて、軸部を軸孔内に挿入させた状態を示した要部の拡大平面図である。
【図８】図７に示された鍵の前端部を鍵の配列方向に変位させた状態を示した要部の拡大平面図である。
【図９】図１に示された鍵盤楽器における白鍵のうち、ＣＥＧＢの白鍵を示し、（ａ）はその平面図、（ｂ）は、その側面図である。
【図１０】図１に示された鍵盤楽器における白鍵のうち、ＤＦＡの白鍵を示し、（ａ）はその平面図、（ｂ）は、その側面図である。
【図１１】図１に示された鍵盤楽器における黒鍵を示し、（ａ）はその平面図、（ｂ）は、その側面図である。
【図１２】図４（ｂ）に示された軸孔と軸部との対応関係の第１変形例を示した要部の拡大図である。
【図１３】図４（ｂ）に示された軸孔と軸部との対応関係の第２変形例を示した要部の拡大図である。
【発明を実施するための形態】
【０００９】
以下、図１〜図１１を参照して、この発明を適用した鍵盤楽器の一実施形態について説明する。
この鍵盤楽器は、図１および図２に示すように、ＡＢＳ樹脂などの合成樹脂製の鍵盤シャーシ１と、この鍵盤シャーシ１上に配列されて上下方向にそれぞれ回転可能に取り付けられた複数の鍵２と、これら複数の鍵２の押鍵操作に応じてそれぞれオン動作するスイッチ部３と、を備えている。この場合、複数の鍵２は、白鍵２ａと黒鍵２ｂとを有している。
【００１０】
鍵盤シャーシ１は、楽器ケース（図示せず）内に配置されるものである。この鍵盤シャーシ１の前端部（図１では左端部）には、図１および図２に示すように、前脚部５が底部から上方に突出して設けられている。この前脚部５の上部には、白鍵２ａの横振れを防ぐための白鍵ガイド部６が各白鍵２ａにそれぞれ対応して設けられている。
【００１１】
また、この鍵盤シャーシ１の前後方向（図１では左右方向）におけるほぼ中間部には、図１および図２に示すように、基板載置部７が前脚部５とほぼ同じ高さで設けられている。この基板載置部７上には、スイッチ部３が複数の基板支持部８によって取り付けられている。この場合、基板載置部７の前端部（図１では左端部）には、黒鍵２ｂの横振れを防ぐための黒鍵ガイド部９が各黒鍵２ｂにそれぞれ対応して設けられている。
【００１２】
また、この鍵盤シャーシ１の後部、つまり基板載置部７の後部側には、図１および図２に示すように、鍵載置部１０が基板載置部７よりも一段高く設けられている。この鍵載置部１０の上面には、図１〜図５に示すように、鍵２を回転可能に支持する複数の鍵支持部１１が上方に突出して設けられている。さらに、この鍵盤シャーシ１における鍵載置部１０の後端部には、鍵盤シャーシ１の後端部を支持する後脚部１２が鍵盤シャーシ１の上部から底部に向けて垂下されている。
【００１３】
一方、鍵２は、図１〜図４、図６に示すように、その後端部（図１では右端部）に取付部１３が設けられ、この取付部１３が鍵盤シャーシ１の鍵載置部１０上に設けられた鍵支持部１１に上下方向に回転可能に支持される構造になっている。この場合、鍵２は、白鍵２ａと黒鍵２ｂとを有している。白鍵２ａは、前後方向の長さが黒鍵２ｂの前後方向の長さよりも長く形成されている。黒鍵２ｂは、その高さが白鍵２ａの高さよりも高く形成されている。これら以外は白鍵２ａも黒鍵２ｂもほぼ同じ構造になっている。
【００１４】
また、この鍵２の前後方向（図１では左右方向）におけるほぼ中間部には、図１および図２に示すように、鍵盤シャーシ１の基板載置部７上に取り付けられたスイッチ部３を押圧するためのスイッチ押圧部１４が下側に突出して設けられている。このスイッチ部３は、スイッチ基板１５上にドーム状の膨出部１６ａが配列されたゴムシート１６が配置された構造になっている。
【００１５】
この場合、スイッチ基板１５は、図１に示すように、鍵２の配列方向に長い帯板状に形成されている。このスイッチ基板１５は、その前後方向の両端部が複数の基板支持部８によって基板載置部７上に支持されている。ゴムシート１６は、スイッチ基板１５と同様、鍵２の配列方向に長い帯板状に形成されて、スイッチ基板１５上に配置されている。ドーム状の膨出部１６ａは、ゴムシート１６を膨出したものであり、鍵２のスイッチ押圧部１４に対応してゴムシート１６に配列されている。
【００１６】
また、このスイッチ部３は、図１に示すように、ゴムシート１６の膨出部１６ａがスイッチ押圧部１４によって押圧された際に、膨出部１６ａが弾性変形して、その内部の可動接点がスイッチ基板１５の固定接点に接触することにより、オン信号を出力するようになっている。この場合、スイッチ基板１５には、スイッチ部３のオン信号に基づいて楽音情報を生成し、この生成した楽音情報に基づいてスピーカから楽音を放音させるための発音部（いずれも図示せず）が設けられている。
【００１７】
ところで、鍵盤シャーシ１の後部に設けられた複数の鍵支持部１１それぞれは、図１〜図５に示すように、鍵２の配列方向に互いに対向する一対の鍵支持片１７を備えている。これら一対の鍵支持片１７は、複数の鍵２それぞれに対応した状態で、鍵盤シャーシ１の鍵載置部１０上に鍵２の配列方向に沿ってそれぞれ起立して設けられている。
【００１８】
また、鍵２の後部に設けられた取付部１３は、図１〜図４、図６に示すように、鍵２の配列方向に互いに対向する一対の取付片１８を備えている。これら一対の取付片１８は、互いに接近または離反する方向に撓み変形し、鍵盤シャーシ１の一対の鍵支持片１７間に弾力的に挟まれて保持されるようになっている。
【００１９】
この場合、一対の取付片１８における各下部には、図１、図２、および図４に示すように、軸孔２０が同一軸上に対応して設けられている。また、一対の鍵支持片１７の対向面における各下部には、一対の取付片１８の軸孔２０に回転可能に挿入する軸部２１が同一軸上に対応して設けられている。
【００２０】
これら軸孔２０と軸部２１とは、図４（ａ）および図４（ｂ）に示すように、軸孔２０に軸部２１が挿入された際に、軸孔２０の内周面と軸部２１の外周面との間に第１、第２間隙Ｓ１、Ｓ２が設けられている。この場合、第１間隙Ｓ１は、鍵２が押鍵されていない状態で、鍵２の上下方向における軸孔２０の内周面と軸部２１の外周面との間の僅かな間隔である。
【００２１】
すなわち、この第１間隙Ｓ１は、図４（ａ）および図４（ｂ）に示すように、軸孔２０に軸部２１が回転可能に嵌合する一般的な嵌合公差の範囲内の僅かな隙間である。第２間隙Ｓ２は、鍵２が押鍵されていない状態で、鍵２の前後方向（長手方向）における軸孔２０の内周面と軸部２１の外周面との間の間隔である。この第２間隙Ｓ２は、軸孔２０に軸部２１が回転可能に嵌合する一般的な嵌合公差よりも十分に大きい隙間であり、第１間隙Ｓ１よりも大きく設定されている。
【００２２】
この場合、一対の取付片１８の各軸孔２０は、図４（ｂ）に示すように、その形状が真円に形成されており、一対の鍵支持片１７の各軸部２１は、その外形が上下方向に長い楕円に形成されている。すなわち、楕円形状の軸部２１は、上下方向の長さが軸孔２０の内径よりも僅かに短い、つまり一般的な嵌合公差の範囲内の隙間だけ軸孔２０の内径よりも短い長さであることにより、第１間隙Ｓ１を形成している。
【００２３】
また、この楕円形状の軸部２１は、図４（ｂ）に示すように、鍵２の長手方向である前後方向の長さが軸孔２０の内径よりも十分に短い長さ、つまり一般的な嵌合公差よりも十分に長い隙間を有する長さであることにより、第２間隙Ｓ２を形成している。このため、第２間隙Ｓ２は、第１間隙Ｓ１よりも大きい。
【００２４】
これにより、鍵２は、図７および図８に示すように、一対の取付片１８が鍵盤シャーシ１の一対の鍵支持片１７間に挟まれた状態で、一対の取付片１８の軸孔２０に一対の鍵支持片１７の軸部２１が回転可能に挿入されて保持された際に、軸孔２０の内周面と軸部２１の外周面との間に設けられた第１、第２間隙Ｓ１、Ｓ２によって、鍵２の前端部を鍵２の配列方向（左右方向に）に変位させて、隣接する鍵２の前端部間の隙間が調整可能な構造になっている。
【００２５】
すなわち、この鍵２は、図７に示すように、一対の取付片１８の軸孔２０に一対の鍵支持片１７の軸部２１が回転可能に挿入されて保持された状態で、図８に実線で示すように、一対の取付片のうち、鍵２の配列方向における左側の取付片１８を第２間隙Ｓ２の範囲内で鍵２の後方にずらし、鍵２の配列方向における右側の取付片１８を第２間隙Ｓ２の範囲内で鍵２の前方にずらすと、鍵２の前端部が鍵２の配列方向における左側に変位して、隣接する鍵２の前端部間の隙間が調整されるようになっている。
【００２６】
この場合、鍵２は、図７に示すように、一対の取付片１８の軸孔２０に一対の鍵支持片１７の軸部２１が回転可能に挿入されて保持された状態で、一対の取付片のうち、鍵２の配列方向における左側の取付片１８を第２間隙Ｓ２の範囲内で鍵２の前方にずらし、鍵２の配列方向における右側の取付片１８を第２間隙Ｓ２の範囲内で鍵２の後方にずらすと、鍵２の前端部が鍵２の配列方向における右側に変位して、隣接する鍵２の前端部間の隙間が調整されるようになっている。
【００２７】
一方、鍵盤シャーシ１の一対の鍵支持片１７における対向面の各軸部２１の上側には、図２および図４（ａ）に示すように、鍵２の一対の取付片１８を挟むように押える押えリブ２２がそれぞれ上下方向に沿って設けられている。この押えリブ２２は、一対の鍵支持片１７の対向面から突出する長さ（厚み）が、一対の鍵支持片１７の対向面から突出する軸部２１の突出長さ、つまり軸部２１の軸方向の長さよりも短い長さ（厚み）で、軸部２１の中心を通る直線に沿って設けられている。
【００２８】
これにより、鍵２は、図１、図２、および図４（ｂ）に示すように、一対の取付片１８が鍵盤シャーシ１の一対の鍵支持片１７間に配置された状態で、一対の鍵支持片１７の対向面における各押えリブ２２よりも突出する各軸部２１が一対の取付片１８の各軸孔２０に回転可能に挿入されて、一対の取付片１８が各押えリブ２２によって挟まれるように保持される構造になっている。
【００２９】
すなわち、この押えリブ２２は、図４（ａ）に示すように、鍵２の一対の取付片１８の外面に押し当てられる押当面２２ａが鍵盤シャーシ１の鍵載置部１０の水平面である上面に対して垂直な状態、つまり抜き勾配のない状態で設けられている。これにより、押えリブ２２は、押当面２２ａが一対の取付片１８の外面に押し当てられた際に、押当面２２ａの全面に一対の取付片１８の外面が均一に押し当てられて、鍵２の捩じれを防ぐようになっている。
【００３０】
また、この押えリブ２２は、図２および図４（ａ）に示すように、鍵２の前後方向の長さが軸部２１の前後方向の長さよりも短い長さで設けられている。これにより、押えリブ２２は、鍵２の一対の取付片１８を挟むように押えていても、押えリブ２２を支点として鍵２の前端部がその配列方向（左右方向）に揺動するようになっている。
【００３１】
一方、鍵２の取付部１３には、図３、図６〜図８に示すように、一対の取付片１８の互いに接近または離反する方向への撓み変形を規制する変形規制部２３が設けられている。この変形規制部２３は、鍵２に対する一対の取付片１８の付け根部における上端部間に設けられている。
【００３２】
これにより、変形規制部２３は、図７および図８に示すように、一対の取付片１８を鍵盤シャーシ１の一対の鍵支持片１７間に挟む際、または一対の取付片１８を一対の鍵支持片１７間から取り外す際に、一対の軸部２１が互いに接近する方向への撓み変形を最小限に抑えるようになっている。
【００３３】
すなわち、この変形規制部２３は、図７および図８に示すように、後端部が一対の鍵支持片１７の間に食い込んだ位置、つまり一対の鍵支持片１７の前部側に対応する位置に設けられている。これにより、変形規制部２３は、一対の軸部２１が互いに接近する方向に撓み変形する変形力を大きくする構造になっている。
【００３４】
この場合、変形規制部２３は、図７および図８に示すように、その前後方向の長さが、一対の取付片１８の各肉厚つまり鍵２の配列方向における取付片１８の長さ（幅）に応じて最適な長さに設定されていることが望ましい。すなわち、この変形規制部２３は、一対の取付片１８の各肉厚が厚い場合に、変形規制部２３の前後方向の長さが短く、一対の取付片１８の各肉厚が薄い場合に、変形規制部２３の前後方向の長さが長く設定されていることが望ましい。
【００３５】
また、鍵盤シャーシ１の一対の鍵支持片１７は、図１〜図５に示すように、一対の取付片１８が一対の鍵支持片１７に取り付けられた際に、一対の鍵支持片１７の各上部が一対の取付片１８の上端部よりも上方に突出している。すなわち、一対の鍵支持片１７は、その上端部の高さが一対の取付片１８の上方への回転範囲よりも上方に高く突出すようになっている。このため、一対の鍵支持片１７は、その上部に基板などの部品（図示せず）を配置しても、鍵２の上下方向への回転を妨げないようになっている。
【００３６】
次に、このような鍵盤楽器の作用について説明する。
この鍵盤楽器を組み立てる場合には、予め、複数の鍵２を製作する。これら複数の鍵２は、図９〜図１１に示すように、第１白鍵ブロック２５、第２白鍵ブロック２６、および黒鍵ブロック２７を備え、これらを個別に製作して、組み合わせる構造になっている。
【００３７】
すなわち、第１白鍵ブロック２５は、図９（ａ）および図９（ｂ）に示すように、ＣＥＧＢの各白鍵２ａが第１連結ランナ部２５ａによって連結された状態で一度に成形されている。この場合、第１連結ランナ部２５ａは、ＣＥＧＢの各白鍵２ａの後方に位置した状態で白鍵２ａの配列方向に沿って帯状に形成されている。この第１連結ランナ部２５ａには、ＣＥＧＢの各白鍵２ａにおける一対の取付片１８の各後端部に連結される複数の第１ゲート部２５ｂが設けられている。
【００３８】
これにより、第１白鍵ブロック２５は、第１成形用金型（図示せず）で成形する際に、第１連結ランナ部２５ａに樹脂が注入され、この第１連結ランナ部２５ａに注入された樹脂が複数の第１ゲート部２５ｂからＣＥＧＢの各白鍵２ａに注入される。このため、第１白鍵ブロック２５は、図９（ａ）および図９（ｂ）に示すように、ＣＥＧＢの各白鍵２ａが第１連結ランナ部２５ａおよび複数の第１ゲート部２５ｂによって連結された状態で一度に成形されている。
【００３９】
第２白鍵ブロック２６は、図１０（ａ）および図１０（ｂ）に示すように、ＤＦＡの各白鍵２ａが第２連結ランナ部２６ａによって連結された状態で一度に成形されている。この場合、第２連結ランナ部２６ａは、ＤＦＡの各白鍵２ａの後方に位置した状態で白鍵２ａの配列方向に沿って帯状に形成されている。この第２連結ランナ部２６ａには、ＤＦＡの各白鍵２ａにおける一対の取付片１８の各後端部に連結される複数の第２ゲート部２６ｂが設けられている。
【００４０】
これにより、第２白鍵ブロック２６は、第２成形用金型（図示せず）で成形する際に、第２連結ランナ部２６ａに樹脂が注入され、この第２連結ランナ部２６ａに注入された樹脂が複数の第２ゲート部２６ｂからＤＦＡの各白鍵２ａに注入される。このため、第２白鍵ブロック２６は、図１０（ａ）および図１０（ｂ）に示すように、ＤＦＡの各白鍵２ａが第２連結ランナ部２６ａおよび複数の第２ゲート部２６ｂによって連結された状態で一度に成形されている。
【００４１】
黒鍵ブロック２７は、図１１（ａ）および図１１（ｂ）に示すように、複数の各黒鍵２ｂが第３連結ランナ部２７ａによって連結された状態で一度に成形されている。この場合、第３連結ランナ部２７ａは、複数の各黒鍵２ｂの後方に位置した状態で黒鍵２ｂの配列方向に沿って帯状に形成されている。この第３連結ランナ部２７ａには、複数の黒鍵２ｂにおける一対の取付片１８の各後端部に連結される複数の第３ゲート部２７ｂが設けられている。
【００４２】
これにより、黒鍵ブロック２７は、第３成形用金型（図示せず）で成形する際に、第３連結ランナ部２７ａに樹脂が注入され、この第３連結ランナ部２７ａに注入された樹脂が複数の第３ゲート部２７ｂから複数の黒鍵２ｂに注入される。このため、黒鍵ブロック２７は、図１１（ａ）および図１１（ｂ）に示すように、複数の黒鍵２ｂが第３連結ランナ部２７ａおよび複数の第３ゲート部２７ｂによって連結された状態で一度に成形されている。
【００４３】
このようにして形成された第１白鍵ブロック２５の各白鍵２ａ、第２白鍵ブロック２６の各白鍵２ａ、および第３黒鍵ブロック２７の各黒鍵２ｂを鍵盤シャーシ１に組み付ける場合には、まず、第１連結ランナ部２５ａ、第２連結ランナ部２６ａ、および第３連結ランナ部２７ａを重ね合わせて、第１白鍵ブロック２５のＣＥＧＢの各白鍵２ａ、第２白鍵ブロック２６のＤＦＡの各白鍵２ａ、および黒鍵ブロック２７の各黒鍵２ｂをこれらの各間に配置させて、複数の鍵２として配列させる。
【００４４】
すなわち、第１白鍵ブロック２５の第１連結ランナ部２５ａの下に第２白鍵ブロック２６の第２連結ランナ部２６ａを重ね合わせて、第１白鍵ブロック２５のＣＥＧＢの各白鍵２ａと第２白鍵ブロック２６のＤＦＡの各白鍵２ａとをこれらの各間に配置させる。そして、第２白鍵ブロック２６の第２連結ランナ部２６ａの下に黒鍵ブロック２７の第３連結ランナ部２７ａを重ね合わせて、第１白鍵ブロック２５のＣＥＧＢの各白鍵２ａと第２白鍵ブロック２６のＤＦＡの各白鍵２ａとの何れかの間に黒鍵ブロック２７の複数の黒鍵２ｂを配置させる。
【００４５】
これにより、ＣＥＧＢの各白鍵２ａ、ＤＦＡの各白鍵２ａ、および複数の黒鍵２ｂが音階順に配列され、鍵２が１オクターブ分配列される。この状態で、複数の鍵２を鍵盤シャーシ１に組み付ける。この場合には、予め、鍵盤シャーシ１のスイッチ載置部７上にスイッチ部３を組み付ける。このときには、まず、スイッチ部３のドーム状の膨出部１６ａが配列されたゴムシート１６をスイッチ基板１５上に配置し、このゴムシート１６が配置されたスイッチ基板１５を複数の基板支持部８によってスイッチ載置部７上に支持する。
【００４６】
この状態で、複数の鍵２を鍵盤シャーシ１に組み付ける。このときには、複数の白鍵２ａの各前側部に鍵盤シャーシ１の各白鍵ガイド部６を挿入させると共に、複数の黒鍵２ｂの各前側部に鍵盤シャーシ１の各黒鍵ガイド部９を挿入させて、複数の鍵２の各スイッチ押圧部１４をスイッチ部３の各膨出部１６ａにそれぞれ対応させる。この状態で、各鍵２の後部にそれぞれ設けられた一対の取付片１８を鍵盤シャーシ１の後部に設けられた一対の鍵支持片１７の各間にそれぞれ上方から挿入させる。
【００４７】
このときには、一対の鍵支持片１７の対向面に設けられた各押えリブ２２の押当面２２ａに鍵２の一対の取付片１８における両側の各外面が押し当てられるので、変形規制部２３の変形規制力に抗して一対の取付片１８が互いに接近する方向に撓み変形して一対の鍵支持片１７の間に挿入する。そして、一対の鍵支持片１７の各下部に設けられた各軸部２１を一対の取付片１８の各下部に設けられた各軸孔２０に挿入させる。
【００４８】
この場合には、一対の鍵支持片１７の対向面から突出する押えリブ２２の長さ（厚み）が、一対の鍵支持片１７の対向面から突出する軸部２１の突出長さよりも短い（薄い）ので、一対の鍵支持片１７の対向面における各押えリブ２２よりも各軸部２１が突出している。このため、この突出した各軸部２１が一対の取付片１８の各軸孔２０に挿入される際に、各軸部２１によって一対の取付片１８が更に互いに接近する方向に撓み変形して各軸部２１が一対の取付片１８の各軸孔２０に挿入する。
【００４９】
すなわち、各軸部２１が各軸孔２０に挿入する際には、互いに接近する方向に撓み変形した一対の取付片１８が互いに離れる方向に弾性復帰することにより、各軸部２１が各軸孔２０に確実に挿入する。このように各軸部２１が各軸孔２０に挿入された際には、一対の取付片１８の各外面が一対の鍵支持片１７の対向面に設けられた各押えリブ２２間に弾力的に挟まれた状態で、一対の取付片１８が変形規制部２３によって撓み変形が規制されることにより、確実にかつ良好に保持される。
【００５０】
この場合、各押えリブ２２は、一対の取付片１８の各外面に押し当てられる各押当面２２ａが、鍵盤シャーシ１の鍵載置部１０の水平面である上面に対して垂直な状態、つまり抜き勾配のない状態で設けられていることにより、一対の取付片１８の各外面が互いに対向する各押えリブ２２の押当面２２ａの全体に均一に押し当てられる。
【００５１】
このため、一対の取付片１８は、一対の鍵支持片１７の各軸部２１を中心として鍵２が捩じれないように、各外面が各押えリブ２２によって確実にかつ良好に押えられる。これにより、鍵２の一対の取付片１８は、鍵盤シャーシ１の一対の鍵支持片１７間に弾力的に挟まれた状態で、鍵２が一対の鍵支持片１７の各軸部２１を中心に上下方向に回転可能な状態で保持される。
【００５２】
すなわち、取付片１８及び各押えリブ２２は、鍵２が上下方向（鍵２が押離鍵操作に応じて動く方向）及び、左右方向（鍵間の隙間調整操作に応じて動く方向）に動くように、鍵２を支持するとともに、鍵２が上下左右方向以外の方向（便宜上、本明細書においては、「捩じれ方向」という）に動きにくいように、鍵２のこの捩じれ方向への動きを規制している。
【００５３】
鍵盤シャーシ１側の各軸部２１が鍵２側の各軸孔２０に挿入された状態で、第１白鍵ブロック２５の第１ゲート部２５ｂ、第２白鍵ブロック２６の第２ゲート部２６ｂ、および黒鍵ブロック２７の第３ゲート部２７ｂを各鍵２の一対の取付片１８の各後端部において切断して、第１〜第３連結ランナ部２５ａ〜２７ａおよび第１〜第３ゲート部２５ｂ〜２７ｂを各鍵２から切り離す。これにより、複数の鍵２が鍵盤シャーシ１に一度に組み付けられる。
【００５４】
この場合には、複数の鍵２の一対の取付片１８の各後端部に位置する第１〜第３ゲート部２５ｂ〜２７ｂに予め切込部（図示せず）をそれぞれ設け、複数の鍵２の一対の取付片１８を鍵盤シャーシ１の後部に設けられた一対の鍵支持片１７の各間にそれぞれ上方から挿入させる際に、第１〜第３ゲート部２５ｂ〜２７ｂを切込部によって自動的に切り離すようにしても良い。
【００５５】
すなわち、複数の鍵２の一対の取付片１８を鍵盤シャーシ１の後部に設けられた一対の鍵支持片１７の各間にそれぞれ上方から挿入させて、一対の取付片１８の軸孔２０に一対の鍵支持片１７の軸部２１を挿入させる際に、一対の取付片１８が互いに接近する方向に撓み変形することにより、切込部によって第１〜第３ゲート部２５ｂ〜３２ｂを一対の取付片１８の各後端部から自動的に切り離すことができる。
【００５６】
このようにして、複数の鍵２が鍵盤シャーシ１に組み付けられた際に、鍵２の前端部に片寄りが発生して、鍵２の前端部間の隙間が不揃いになった場合には、鍵２の前端部間の隙間を調整する。すなわち、一対の取付片１８の軸孔２０が真円に形成され、一対の鍵支持片１７の軸部２１が上下方向に長い楕円に形成されて、軸孔２０の内周面と軸部２１の外周面との間に第１、第２間隙Ｓ１、Ｓ２が設けられていることにより、これら第１、第２間隙Ｓ１、Ｓ２によって鍵２の前端部を鍵２の配列方向（左右方向）に変位させて、鍵２の前端部間の隙間を調整する。
【００５７】
すなわち、図７に示すように、一対の取付片１８の各軸孔２０に一対の鍵支持片１７の各軸部２１が回転可能に挿入されて鍵２が保持された状態で、図８に実線で示すように、一対の取付片のうち、鍵２の配列方向における左側の取付片１８を第２間隙Ｓ２の範囲内で鍵２の後方にずらし、鍵２の配列方向における右側の取付片１８を第２間隙Ｓ２の範囲内で鍵２の前方にずらすと、鍵２の前端部が鍵２の配列方向における左側に変位して、隣接する鍵２の前端部間の隙間が調整されて均一に揃えられる。
【００５８】
また、図７に示すように、一対の取付片１８の各軸孔２０に一対の鍵支持片１７の各軸部２１が回転可能に挿入されて鍵２が保持された状態で、一対の取付片のうち、鍵２の配列方向における左側の取付片１８を第２間隙Ｓ２の範囲内で鍵２の前側にずらし、鍵２の配列方向における右側の取付片１８を第２間隙Ｓ２の範囲内で鍵２の後方にずらすと、鍵２の前端部が鍵２の配列方向における右側に変位して、隣接する鍵２の前端部間の隙間が調整されて均一に揃えられる。
【００５９】
このとき、押えリブ２２は、鍵２の前後方向の長さが軸部２１の前後方向の長さよりも短いことにより、各押えリブ２２が鍵２の一対の取付片１８を挟むように押えていても、押えリブ２２を支点として鍵２がその配列方向（左右方向）に揺動し易くなるので、これによっても鍵２の前端部を鍵２の配列方向（左右方向）に変位させて、鍵２の前端部間の隙間を調整し易くすることができる。
【００６０】
このようにして、鍵２の前端部間の隙間が調整されて均一に揃えられた際には、鍵２の後端部に位置する一対の取付片１８の上方に基板などの部品（図示せず）を配置して装置全体のコンパクト化が図れる。このときには、鍵盤シャーシ１の一対の鍵支持片１７における各上端部の高さが一対の取付片１８の上端部よりも上方に突出していることにより、一対の鍵支持片１７の上部に基板などの部品を配置して装置全体のコンパクト化を図っても、鍵２の上下方向への回転を妨げることなく、基板などの部品が良好に配置される。
【００６１】
このように組み立てられた鍵盤楽器を使用して演奏する際には、複数の鍵２のスイッチ押圧部１４がスイッチ部３のドーム状の膨出部１６ａの弾力によって押し上げられている。この状態で、押し上げられた鍵２の前部側を上方から押すと、一対の鍵支持片１７に設けられた各軸部２１が一対の取付片１８に設けられた各軸孔２０に配置されていることにより、各軸部２１を中心に鍵２が下側に向けて回転する。
【００６２】
すると、鍵２のスイッチ押圧部１４が膨出部１６ａを弾性変形させて、その内部の可動接点をスイッチ基板１５の固定接点に接触させる。これにより、スイッチ部３がオン信号を出力し、このスイッチ部３からのオン信号に基づいて発音部が楽音情報を生成し、この生成した楽音情報に基づいてスピーカ（いずれも図示せず）から楽音が放音される。
【００６３】
このように、この鍵盤楽器によれば、取付部１３に軸孔２０が設けられた鍵２と、この鍵２の軸孔２０内に配置される軸部２１が鍵支持部１１に設けられた鍵盤シャーシ１と、を備え、軸孔２０の内周面と軸部２１の外周面との間に第１、第２間隙Ｓ１、Ｓ２が設けられ、鍵２が押鍵されていない状態において、鍵２の上下方向の第１間隙Ｓ１より鍵２の長手方向の第２間隙Ｓ２の方が大きいことにより、これら第１、第２間隙Ｓ１、Ｓ２によって鍵２の前端部を鍵２の配列方向に変位させて、鍵２間の隙間を均一に揃えることができる。
【００６４】
すなわち、この鍵盤楽器では、鍵２の取付部１３の軸孔２０内に鍵盤シャーシ１の鍵支持部１１の軸部２１が配置されて支持された際に、軸孔２０の内周面と軸部２１の外周面との間に第１、第２間隙Ｓ１、Ｓ２が設けられていることにより、これら第１、第２間隙Ｓ１、Ｓ２によって鍵２の前端部を鍵２の配列方向に変位させることができるので、鍵２の前端部間の隙間を容易にかつ良好に調整して均一に揃えることができる。
【００６５】
また、この鍵盤楽器では、鍵２の取付部１３が一対の取付片１８を備え、鍵盤シャーシ１の鍵支持部１１が一対の鍵支持片１７を備え、一対の取付片１８に軸孔２０が設けられ、一対の鍵支持部１１に軸部２１が設けられ、一対の取付片１８が一対の鍵支持片１７間に配置されていることにより、一対の鍵支持片１７によって一対の取付片１８を弾力的に挟むことができ、この状態で一対の鍵支持片１７の軸部２１を一対の取付片１８の軸孔２０内に配置させて、鍵２を鍵盤シャーシ１上に回転可能に確実かつ良好に取り付けることができる。
【００６６】
この場合、軸孔２０は、一対の取付片１８に同一軸上に対応して設けられ、その形状が真円であり、軸部２１は、一対の鍵支持片１７に同一軸上に対応して設けられ、その外形が上下方向に長い楕円であることにより、一対の取付片１８の各軸孔２０内に一対の鍵支持片１７の各軸部２１が配置されて、鍵２が押鍵されていない状態において、鍵２の長手方向である前後方向の第２間隙Ｓ２を鍵２の上下方向の第１間隙Ｓ１よりも大きくすることができる。
【００６７】
すなわち、第１間隙Ｓ１は、軸孔２０に軸部２１が回転可能に嵌合する一般的な嵌合公差の範囲内の僅かな隙間であり、第２間隙Ｓ２は、鍵２が押鍵されていない状態で、鍵２前後方向（長手方向）における軸孔２０の内周面と軸部２１の外周面との間の間隔で、軸孔２０に軸部２１が回転可能に嵌合する一般的な嵌合公差よりも十分に大きい隙間であり、第１間隙Ｓ１よりも大きく設定されていることにより、第１、第２間隙Ｓ１、Ｓ２によって鍵２の前端部を鍵２の配列方向に確実に変位させて、鍵２の前端部間の隙間を容易にかつ良好に調整して均一に揃えることができる。
【００６８】
このため、この鍵盤楽器では、一対の取付片１８の各軸孔２０内に一対の鍵支持片１７の各軸部２１が配置されて鍵２が支持された状態で、一対の取付片のうち、鍵２の配列方向における左側（図８では上辺部側）の取付片１８を第２間隙Ｓ２の範囲内で鍵２の後側にずらし、鍵２の配列方向における右側（図８では下辺部側）の取付片１８を第２間隙Ｓ２の範囲内で鍵２の前方にずらすと、鍵２の前端部を鍵２の配列方向における右側（図８では上辺部側）に変位させることができるので、隣接する鍵２の前端部間の隙間を容易にかつ良好に調整して均一に揃えることができる。
【００６９】
この場合、この鍵盤楽器では、一対の取付片１８の各軸孔２０内に一対の鍵支持片１７の各軸部２１が配置されて鍵２が支持された状態で、一対の取付片のうち、鍵２の配列方向における左側（図７では上辺部側）の取付片１８を第２間隙Ｓ２の範囲内で鍵２の前側にずらし、鍵２の配列方向における右側（図７では下辺部側）の取付片１８を第２間隙Ｓ２の範囲内で鍵２の後方にずらすと、鍵２の前端部を鍵２の配列方向における右側（図７では下辺部側）に変位させることができるので、隣接する鍵２の前端部間の隙間を容易にかつ良好に調整して均一に揃えることができる。
【００７０】
また、この鍵盤楽器では、鍵盤シャーシ１の一対の鍵支持片１７の各軸部２１から上方の沿線上に軸部２１の軸方向の長さ（厚み）よりも短い（薄い）長さ（厚み）の押えリブ２２が設けられていることにより、一対の取付片１８が一対の鍵支持片１７間に配置された際に、押えリブ２２によって一対の取付片１８を確実にかつ良好に挟み付けることができる。
【００７１】
すなわち、押えリブ２２は、一対の鍵支持片１７の対向面から突出する厚みが、一対の鍵支持片１７の対向面から突出する軸部２１の突出長さ、つまり軸部２１の軸方向の長さよりも薄いので、軸部２１を一対の取付片１８の軸孔２０に挿入させる際に、押えリブ２２よりも突出した軸部２１によって一対の取付片１８を更に互いに接近する方向に撓み変形させた後、この撓み変形した一対の取付片１８を互いに離れる方向に弾性復帰させて軸部２１を軸孔２０に相対的に挿入させることができる。
【００７２】
この場合、押えリブ２２は、一対の取付片１８の外面に押し当てられる押当面２２ａが鍵盤シャーシ１の水平面である上面に対して垂直な状態、つまり抜き勾配のない状態で設けられていることにより、一対の取付片１８の各外面を互いに対向する押えリブ２２の押当面２２ａの全体に均一に押し当てることができる。
【００７３】
このため、この鍵盤楽器では、一対の取付片１８の各外面を押えリブ２２によって確実にかつ良好に押えることができる。これにより、鍵２が軸部２１を中心に捩じれないように、一対の取付片１８を一対の鍵支持片１７間に弾力的に挟んで、鍵２を確実にかつ良好に保持することができる。
【００７４】
また、押えリブ２２は、鍵２の前後方向の長さが軸部２１の前後方向の長さよりも短いことにより、押えリブ２２が鍵２の一対の取付片１８を挟むように押えていても、押えリブ２２を支点として鍵２をその配列方向（左右方向）に揺動し易くすることができるので、これによっても鍵２の前端部を鍵２の配列方向に変位させ易くして、鍵２の前端部間の隙間を調整し易くすることができる。
【００７５】
また、この鍵盤楽器では、取付部１３が、一対の取付片１８の変形を規制する変形規制部２３を有していることにより、一対の取付片１８を鍵盤シャーシ１の一対の鍵支持片１７間に挟む際、または一対の取付片１８を一対の鍵支持片１７間から取り外す際に、変形規制部２３によって一対の軸部２１の互いに接近する方向の撓み変形を必要最小限に抑えることができる。このため、鍵盤シャーシ１の一対の鍵支持片１７間に一対の取付片１８を確実にかつ良好に挟み付けて保持することができる。
【００７６】
鍵２の一端側は、一対の取付片１８の上面に、変形規制部２３を設けている。すなわち、鍵２の一端側の上面は、変形規制部２３と、一対の取付片１８と、により、コの字形状になっている。この鍵２の一端側を弾性変形させることにより、鍵２の一端側を一対の鍵支持片１７の間にはめ込んでいる。
【００７７】
変形規制部２３は、後端部が一対の鍵支持片１７の間に食い込んだ位置、つまり一対の鍵支持片１７の前部側に対応する位置に設けられている。変形規制部２３が、押離鍵操作時に鍵２の一端側が変形することを規制していることにより、押離鍵操作時に鍵２は左右方向及び「ねじれ方向」にぐらつかずに、鍵２は上下方向に変位するので、演奏者は良好に演奏できる。
【００７８】
すなわち、変形規制部２３は、その前後方向の長さが、一対の取付片１８の各肉厚つまり鍵２の配列方向における取付片１８の長さ（幅）に応じて最適な長さに設定されていることにより、一対の軸部２１が互いに接近する方向に撓み変形する変形力を最適化することができる。このため、鍵盤シャーシ１の一対の鍵支持片１７間に一対の取付片１８を最適な状態で良好に挟み付けて保持することができる。
【００７９】
さらに、この鍵盤楽器では、一対の鍵支持片１７の上端部が一対の取付片１８の上端部よりも上方に突出していることにより、鍵２の後端部に位置する一対の取付片１８の上方に基板などの部品を配置することができる。すなわち、一対の鍵支持片１７の各上端部は、鍵２の一対の取付片１８における鍵２の回転範囲の上端部よりも高い位置にあるので、一対の鍵支持片１７の上部に基板などの部品を配置しても、鍵２の上下方向への回転を妨げることなく、基板などの部品を良好に配置することができ、これにより装置全体のコンパクト化を図ることができる。
【００８０】
なお、上述した実施形態では、軸孔２０の形状が真円で、軸部２１の外形が上下方向に長い楕円である場合について述べたが、この発明はこれに限らず、例えば図１２に示す第１変形例のように、軸部３０が丸棒の外周面における鍵２の長手方向（前後部方向）の両側に切欠き部３０ａを設けた構造であっても良い。この場合にも、軸孔２０内に軸部３０を配置した際に、鍵２が押鍵されていない状態において、鍵２の上下方向の第１間隙Ｓ１よりも鍵２の長手方向の第２間隙Ｓ２の方が大きい。このような構造でも、上述した実施形態と同様の作用効果がある。
【００８１】
また、上述した実施形態では、軸孔２０の形状が真円で、軸部２１の外形が上下方向に長い楕円である場合について述べたが、この発明はこれに限らず、例えば図１３に示す第２変形例のように、軸部３１を円形に形成し、軸孔３２を軸部３１の外径よりも鍵２の長手方向に長い長孔に形成した構造であっても良い。この場合にも、軸孔３２内に軸部３１を配置した際に、鍵２が押鍵されていない状態において、鍵２の上下方向の第１間隙Ｓ１よりも鍵２の長手方向の第２間隙Ｓ２の方が大きい。このような構造でも、上述した実施形態と同様の作用効果がある。
【００８２】
また、上述した実施形態では、鍵２の一対の取付片１８に軸孔２０を設け、鍵盤シャーシ１の一対の鍵支持片１７に軸部２１を設けた場合について述べたが、この発明はこれに限らず、例えば鍵２の一対の取付片１８に軸部２１を設け、鍵盤シャーシ１の一対の鍵支持片１７に軸孔２０を設けた構造であっても良い。
【００８３】
また、上述した実施形態では、一対の鍵支持片１７の対向面に押えリブ２２を設けた場合について述べたが、この発明はこれに限らず、鍵２の一対の取付片１８に押えリブ２２を設けても良い。
【００８４】
また、押えリブ２２は、軸部２１から上方の沿線上に設けられている必要はなく、軸部２１から下方の沿線上に設けられていても良く、また上下の両方に設けられていても良い。
いずれの場合も、押えリブ２２は、軸部２１の中心から上下方向に延びるように設けられていればよい。
【００８５】
さらに、上述した実施形態では、鍵２の一対の取付片１８を鍵盤シャーシ１の一対の鍵支持片１７の間に挟んで保持する構造について述べたが、この発明はこれに限らず、例えば鍵盤シャーシ１の一対の鍵支持片１７を鍵２の一対の取付片１８の間に挟んで保持する構造であっても良い。
【００８６】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８７】
（付記）
請求項１に記載の発明は、軸孔が設けられている部位及び軸のいずれか一方を有し、前記いずれか一方が一端側に設けられている鍵と、前記部位及び前記軸のいずれか他方を有し、前記軸孔内に前記軸が配置されていることにより、前記鍵を支持している鍵盤シャーシと、を備え、前記部位における前記軸孔に対応する内面と、前記軸と、の間隙は、前記鍵が押鍵されていない状態において、前記鍵の上下方向の第１間隙より前記鍵の長手方向の第２間隙の方が大きいことを特徴とする鍵盤楽器である。
【００８８】
請求項２に記載の発明は、請求項１に記載の鍵盤楽器において、前記鍵と、前記鍵盤シャーシと、のいずれか一方に有する前記軸の中心から少なくとも上方向及び下方向のいずれか一方の沿線上に、前記軸の厚みよりも薄い厚みの押えリブが設けられていることを特徴とする鍵盤楽器である。
【００８９】
請求項３に記載の発明は、請求項１または請求項２に記載の鍵盤楽器において、前記鍵は、前記一端側に弾性変形するコの字形状部を含み、前記鍵盤シャーシは、前記鍵の前記一端側の前記コの字形状部を支持する一対の鍵支持片を有し、前記軸孔は、前記コの字形状部の両側にそれぞれ設けられており、前記軸は、前記鍵盤シャーシにおける前記一対の鍵支持片の対向面にそれぞれ設けられていることを特徴とする鍵盤楽器である。
【００９０】
請求項４に記載の発明は、請求項３に記載の鍵盤楽器において、前記鍵は、前記コの字形状部の上側に、前記弾性変形を規制する変形規制部、を有することを特徴とする鍵盤楽器である。
【００９１】
請求項５に記載の発明は、請求項４に記載の鍵盤楽器において、前記鍵に含まれる前記変形規制部の一端は、前記鍵盤シャーシに含まれる前記一対の鍵支持片の対向面に位置していることを特徴とする鍵盤楽器である。
【００９２】
請求項６に記載の発明は、請求項１〜請求項４のいずれかに記載の鍵盤楽器において、前記軸孔は、円形状であり、前記軸は、上下方向に長い楕円形状であることを特徴とする鍵盤楽器である。
【００９３】
請求項７に記載の発明は、請求項１〜請求項４のいずれかに記載の鍵盤楽器において、前記鍵盤シャーシにおける前記一対の鍵支持片それぞれの上端は、前記鍵の前記一端側における前記鍵の揺動範囲の上端よりも高い位置にあることを特徴とする鍵盤楽器である。
【符号の説明】
【００９４】
１  鍵盤シャーシ
２  鍵
２ａ  白鍵
２ｂ  黒鍵
３  スイッチ部
６  白鍵ガイド部
９  黒鍵ガイド部
１１  鍵支持部
１３  取付部
１７  鍵支持片
１８  取付片
２０、３２  軸孔
２１、３０、３１  軸部
２２  押えリブ
２２ａ  押当面
２３  変形規制部
３０ａ  切欠き部
Ｓ１  第１間隙
Ｓ２  第２間隙
【図１】
2019219551.tif 000003
【図２】
2019219551.tif 000004
【図３】
2019219551.tif 000005
【図４】
2019219551.tif 000006
【図５】
2019219551.tif 000007
【図６】
2019219551.tif 000008
【図７】
2019219551.tif 000009
【図８】
2019219551.tif 000010
【図９】
2019219551.tif 000011
【図１０】
2019219551.tif 000012
【図１１】
2019219551.tif 000013
【図１２】
2019219551.tif 000014
【図１３】
2019219551.tif 000015